(57)【要約】【課題】開閉扉を確実に施錠することが可能な電子錠装置を提供する。【解決手段】収納ボックスに配設されて開閉扉に設けられたロック金具１２１を受け入れる電子錠装置であって、前記電子錠装置は、ロック金具１２１と係合する係合位置とロック金具との係合を解除する解除位置との間を回動自在な回動ストッパ３のロック（施錠）およびロック解除（開錠）を行う解除レバー９７およびロックレバー９６を有し、モータを内蔵したモータ駆動式施錠・開錠機構９を備え、電子錠装置に進入したロック金具１２１を検知する検知スイッチＳＷの信号に基づいてモータ駆動式施錠・開錠機構９のモータを一方向に回転させてロックレバー９７により回動ストッパ３を係合位置に回動させてロック（施錠）する一方、開錠指令によりモータを他方向に回転させて解除レバーにより回動ストッパ３の解除位置への回動を許容して回動ストッパのロックを解除（開錠）する。【選択図】図４
2016113828.tif 000002
【特許請求の範囲】
【請求項１】
収納ボックスの前面に開閉自在に設けられた開閉扉を電気式に施錠および開錠する電子錠装置であって、開閉扉に設けられたロック金具と、収納ボックスに配設されて前記ロック金具を受け入れる電子錠装置とを備え、前記電子錠装置は、電子錠装置に受け入れられたロック金具と係合する係合位置とロック金具との係合を解除する解除位置との間を回動自在で、かつ、解除位置方向に付勢された回動ストッパと、前記ロック金具が所定の受け入れ位置に進入したことを検出する検知スイッチと、前記検知スイッチによりロック金具の進入が検出された際にモータを一方向に回転して回動ストッパを係合位置に向けて回動させて施錠する一方、開錠指令によりモータを他方向に回転して回動ストッパの解除位置への回動を許容するモータ駆動式施錠・開錠機構と、前記回動ストッパが係合位置へ回動した状態で当該回動ストッパに係合してロックするロック位置と当該回動ストッパのロックを解除するロック解除位置との間をスライド移動自在であって、前記ロック位置に向けて付勢されるとともに前記モータ駆動式施錠・開錠機構によりロック解除位置に向けて駆動されるスライド部材とからなり、前記検知スイッチによりロック金具が検出された際にモータ駆動式施錠・開錠機構により回動ストッパを係合位置に向けて回動させてロック金具に係合させるとともにスライド部材により回動ストッパを係合位置にロック（施錠）する一方、開錠指令が与えられた際にモータ駆動式施錠・開錠機構によりスライド部材をロック解除位置に向けてスライドさせて回動ストッパの解除位置への回動を許容（開錠）することを特徴とする電子錠装置。
【請求項２】
請求項１に係る電子錠装置において、スライド部材はモータ式施錠・開錠機構によりロック位置からロック解除位置に向けてスライド移動した後、モータ式施錠・開錠機構によりロック解除位置に係止されてなることを特徴とする電子錠装置。
【請求項３】
請求項１に係る電子錠装置において、スライド部材に係合した手動操作レバーを有し、当該手動操作レバーによりスライド部材をロック位置からロック解除位置に向けてスライド移動可能としたことを特徴とする電子錠装置。
【発明の詳細な説明】
【技術分野】
【０００１】
この発明は、収納ボックス等の前面に開閉自在に設けられた開閉扉を電気式に施錠および開錠する電子錠装置に関する。
【背景技術】
【０００２】
例えば、宅配物，郵便物などの種々の物品を収納して保管するロッカーは、物品を収納する収納ボックスの前面に開閉自在に設けられた開閉扉を有し、この開閉扉を施錠および開錠する電子錠装置を備えている。この種の電子錠装置は収納ボックスの内壁面に配設されて開閉扉の背面側に突出して設けられた被係止部（例えば、Ｕ字状ロッド）を受け入れるように構成されている。電子錠装置の内部には、所定の回動方向に付勢ばねにより付勢された係止部材が配設されるとともに当該係止部材を付勢ばねのばね力に抗して回動させるモータ駆動の開錠機構が配設されている。前記係止部材は開閉扉を閉じることにより電子錠に進入した開閉扉に設けられた被係止部により付勢ばねによる付勢方向とは反対方向に回動して被係止部の進入を許容するとともに被係止部（ロッド）の通過により付勢ばねの付勢により回動して被係止部（Ｕ字状ロッド）に係合して開閉扉を施錠する。そして、開閉扉の開錠指令によりモータ駆動の開錠機構により係止部材を付勢ばねの付勢力に抗して回動させることにより係止部材と被係止部（Ｕ字状ロッド）との係合（ロック）を解除して開錠する。このように、電子錠装置は開閉扉を閉じると開閉扉を自動的に施錠し、開錠指令に基づいて駆動されるモータによりロックを解除するように構成されている（例えば、特許文献１参照）。
【先行技術文献】
【特許文献】
【０００３】
【特許文献１】特開２０１４−１３４０４７号公報
【発明の概要】
【発明が解決しようとする課題】
【０００４】
ところで、電子錠装置を備えたロッカー等においては多くの場合、電子錠装置の施錠および開錠状態を集中的に監視し、施錠状態において入力された暗証番号が認証された場合に開錠操作するように構成されている。そして、前記特許文献１に開示された発明で代表されるような係止部材を所定の回動方向に付勢する付勢力により開閉扉の施錠が行われる電子錠装置においては、電子錠装置の施錠状態の判定は、付勢ばねにより所定方向に付勢された係止部材の挙動（開閉扉に設けられた被係止部の進入により付勢ばねによる付勢方向とは反対方向への回動）を検出する検知スイッチの信号に基づいて判定される。このように、電子錠装置の施錠状態は係止部材の挙動を検出する検知スイッチの信号に基づいて行われ、係止部材の挙動によって状態変化する検知スイッチの信号により施錠が実行されたものと見做すように構成されている。したがって、実際には施錠が行われていない場合、例えば、開閉扉を閉じる際に開閉扉が完全に閉まらずに半ドア状態から開いた場合、若しくは悪戯により係止部材が回動（反付勢方向）した場合にも施錠が完了したとして判定されてしまうという課題を有する。この場合、開閉扉の開閉を検出する扉検知スイッチを追加装備し、扉検知スイッチおよび係止部材の挙動を検出する検知スイッチの状態変化信号に基づいて施錠状態を判定するように構成することもできるが、扉検知スイッチを追加装備せねばならないのでコストの上昇は免れず、また、扉検知スイッチが悪戯されるおそれがあるという課題を有する。
【０００５】
本発明は上記の点に鑑みなされたものであり、その目的は前記課題を解決し、開閉扉を確実に施錠することが可能な電子錠装置を提供することにある。
【課題を解決するための手段】
【０００６】
上記目的を達成するために請求項１にかかる発明は、収納ボックスの前面に開閉自在に設けられた開閉扉を電気式に施錠および開錠する電子錠装置であって、開閉扉に設けられたロック金具と、収納ボックスに配設されて前記ロック金具を受け入れる電子錠装置とを備え、前記電子錠装置は、電子錠装置に受け入れられたロック金具と係合する係合位置とロック金具との係合を解除する解除位置との間を回動自在で、かつ、解除位置方向に付勢された回動ストッパと、前記ロック金具が所定の受け入れ位置に進入したことを検出する検知スイッチと、前記検知スイッチによりロック金具の進入が検出された際にモータを一方向に回転して回動ストッパを係合位置に向けて回動させて施錠する一方、開錠指令によりモータを他方向に回転して回動ストッパの解除位置への回動を許容するモータ駆動式施錠・開錠機構と、前記回動ストッパが係合位置へ回動した状態で当該回動ストッパに係合してロックするロック位置と当該回動ストッパのロックを解除するロック解除位置との間をスライド移動自在であって、前記ロック位置に向けて付勢されるとともに前記モータ駆動式施錠・開錠機構によりロック解除位置に向けて駆動されるスライド部材とからなり、前記検知スイッチによりロック金具が検出された際にモータ駆動式施錠・開錠機構により回動ストッパを係合位置に向けて回動させてロック金具に係合させるとともにスライド部材により回動ストッパを係合位置にロック（施錠）する一方、開錠指令が与えられた際にモータ駆動式施錠・開錠機構によりスライド部材をロック解除位置に向けてスライドさせて回動ストッパの解除位置への回動を許容（開錠）することを特徴とする。
【０００７】
また、請求項２に係る発明は、請求項１に記載の電子錠装置において、スライド部材はモータ式施錠・開錠機構によりロック位置からロック解除位置に向けてスライド移動した後、モータ式施錠・開錠機構によりロック解除位置に係止されてなることを特徴とする。
【０００８】
また、請求項３に係る発明は、請求項１に記載の電子錠装置において、スライド部材に係合した手動操作レバーを有し、当該手動操作レバーによりスライド部材をロック位置からロック解除位置に向けてスライド移動可能としたことを特徴とする。
【発明の効果】
【０００９】
本発明の請求項１に係る電子錠装置によれば、収納ボックスの前面に開閉自在に設けられた開閉扉を電気式に施錠および開錠する電子錠装置であって、開閉扉に設けられたロック金具と、収納ボックスに配設されて前記ロック金具を受け入れる電子錠装置とを備え、前記電子錠装置は、電子錠装置に受け入れられたロック金具と係合する係合位置とロック金具との係合を解除する解除位置との間を回動自在で、かつ、解除位置方向に付勢された回動ストッパと、前記ロック金具が所定の受け入れ位置に進入したことを検出する検知スイッチと、前記検知スイッチによりロック金具の進入が検出された際にモータを一方向に回転して回動ストッパを係合位置に向けて回動させて施錠する一方、開錠指令によりモータを他方向に回転して回動ストッパの解除位置への回動を許容するモータ駆動式施錠・開錠機構と、前記回動ストッパが係合位置へ回動した状態で当該回動ストッパに係合してロックするロック位置と当該回動ストッパのロックを解除するロック解除位置との間をスライド移動自在であって、前記ロック位置に向けて付勢されるとともに前記モータ駆動式施錠・開錠機構によりロック解除位置に向けて駆動されるスライド部材とからなり、前記検知スイッチによりロック金具が検出された際にモータ駆動式施錠・開錠機構により回動ストッパを係合位置に向けて回動させてロック金具に係合させるとともにスライド部材により回動ストッパを係合位置にロック（施錠）する一方、開錠指令が与えられた際にモータ駆動式施錠・開錠機構によりスライド部材をロック解除位置に向けてスライドさせて回動ストッパの解除位置への回動を許容（開錠）することにより、電子錠にロック金具が受け入れられたことを検出する検知スイッチの出力信号に基づいてモータ駆動式施錠・開錠機構により回動ストッパをロック金具と係合する係合位置に向けて回動させて施錠を行うことにより電子錠により確実に開閉扉を施錠することが可能となるという効果を奏する。
【００１０】
また、本発明の請求項２に係る電子錠装置によれば、請求項１に記載の電子錠装置において、スライド部材はモータ式施錠・開錠機構によりロック位置からロック解除位置に向けてスライド移動した後、モータ式施錠・開錠機構によりロック解除位置に係止されてなることにより、悪戯により回動ストッパが係合位置に回動させられた際にも回動ストッパが係合位置でロックされることがないという利点を有する。
【００１１】
また、請求項３に係る電子錠装置によれば、請求項１に記載の電子錠装置において、スライド部材に係合した手動操作レバーを有し、当該手動操作レバーによりスライド部材をロック位置からロック解除位置に向けてスライド移動可能としたことにより、停電等により電子錠装置のモータ式施錠・開錠機構による開錠操作ができなくなった場合には手動により開錠して開閉扉を開けることが可能となる利点を有する。
【図面の簡単な説明】
【００１２】
【図１】本発明の実施の形態に係る電子錠装置を備えた収納ボックスを複数段有するロッカーの外観図である。
【図２】図１の収納ボックス内部に配設された電子錠装置近傍の概略構成を示す斜視図である。
【図３】図１の電子錠装置の全体構成を開閉扉に設けたロック金具とともに示す正面視左斜め上方から見た斜視図である。
【図４】図３の電子錠装置の一部構成部品を取り外した状態を示す正面視右斜め上方から見た斜視図である。
【図５】図３の電子錠装置の主要部品を示し、正面視左右方向に分解した分解図である。
【図６】図２のモータ駆動式施錠・開錠機構を示し、正面視右方から見た分解斜視図である。
【図７】図２のモータ駆動式施錠・開錠機構を示し、正面視左方（図６の反対方向）から見た分解斜視図である。
【図８】モータ駆動式施錠・開錠機構の待機状態を示し、（ａ）は正面視右方から見た要部平面図、（ｂ）は正面視左方から見た要部平面図である。
【図９】モータ駆動式施錠・開錠機構の開錠動作を示し、（ａ）は正面視右方から見た要部平面図、（ｂ）は正面視左方から見た要部平面図である。
【図１０】電子錠装置の開錠動作を示し、（ａ）は正面視右方から見た施錠状態の斜視図、（ｂ）は正面視右方から見た開錠動作途中の状態の斜視図である。
【図１１】電子錠装置の施錠動作を示し、（ａ）は正面視左方から見た開錠状態の斜視図、（ｂ）は正面視左方から見た施錠状態の斜視図である。
【図１２】電子錠の手動開錠操作時の動作を示し、（ａ）は正面視右方から見た施錠状態の斜視図、（ｂ）は正面視右方から見た開錠途中の状態を示す斜視図である。
【発明を実施するための形態】
【００１３】
以下、本発明の実施形態に係る電子錠を図面に基づいて詳細に説明する。図１は、電子錠を備えた収納ボックスを複数段有するロッカー１００の外観図である。図１に示すようにこのロッカー１００は、下部領域に電子錠を備えた個別の収納ボックス１１０を上下方向に多段（この実施の形態では６段）に並べて設置されており、上部領域にタッチパネル部１０１、制御部１０２などを備えている。タッチパネル１０１は、宅配業者および受取者に操作内容、各収納ボックス１１０の空き状況や預入物が収納された収納ボックス１１０等の表示や暗証番号を入力するテンキーなどを表示するものであり、制御部１０２は、各収納ボックス１１０の内部における正面視右側壁の前端部に配設された複数の電子錠装置１０（図１では点線で示す）の状態を集中監視して各電子錠装置１０の施錠・開錠状態を記憶するとともに当該記憶部の記憶内容に基づいて各収納ボックス１１０の空き状況を判定してタッチパネル部１０１に表示する一方、入力された暗証番号の認証処理を行うとともに認証処理結果に基づいて電子錠装置１０に開錠指令を与えるものである。
【００１４】
前記収納ボックス１１０は、前面が開口した直方体形状の箱体からなる。収納ボックス１１０の前面には開口部を閉塞する開閉扉１２０が配設され、当該開閉扉１２０は左端側に設けたヒンジ（不図示）により開閉自在な片開き方式として構成されている。また、ロッカー１００の筐体を構成する底壁前面にはキーにより操作されるキーシリンダー錠ＣＫが配設されている。このキーシリンダー錠ＣＫは、キー溝に挿入されるキーの回転操作により電子錠装置１０を手動開錠するものであり、キーシリンダー錠ＣＫと電子錠装置１０との間を連繋してリンク機構Ｌが配設されている。
【００１５】
図２は、最下段の収納ボックス１１０の内部から正面視右側壁の前端部を見た状態の概略構成を示す。図２における１１０Ａは、収納ボックス１１０の正面視右側壁を構築する構成部材であり、この構成部材１１０Ａに電子錠装置１０が固着されている。また、図２における１２０Ａは、開閉扉１２０における反ヒンジ側の背面に固着された取付金具であり、この取付金具１２０Ａに背面側に向けて突出するロック金具１２１が固着されている。このロック金具１２１は、図３を参照すると理解できるように、金属製の平板をＬ字状に折り曲げて形成され、係合孔１２２が形成された一方の脚片が開閉扉１２０の背面側に突出する態様で他方の脚片を取付金具１２０Ａにねじ止めして開閉扉１２０に固着されている。そして、開閉扉１２０を閉じた際、ロック金具１２１と電子錠装置１０とが対峙するように配設され、ロック金具１２１の先端側が電子錠装置１０に進入するように構成されている。なお、以下の説明において、前後とは収納ボックス１１０の開口した前面から見た場合の前後方向を示し、左右とは同収納ボックス１１０の開口した前面から見た場合の左右方向を示す。
【００１６】
また、図２において、Ｌは、ロッカー１００の筐体を構成する底壁前面に配設されたキーシリンダー錠ＣＫと電子錠装置１０との間を連繋するリンク機構である。リンク機構Ｌは、キーシリンダー錠ＣＫのキー溝に挿入されるキーの回転操作により回転するロータの背後に結合された回転レバーＬ１と、収納ボックス１１０の正面視右側壁に沿って上下方向に延在するスライダＬ２からなる。回転レバーＬ１は、一端（前端）がキーシリンダー錠ＣＫのロータの背後にナットＮ１により固着され、他端（後端）にローラＲ１が回転自在に軸支されてなる。スライダＬ２は、図１に点線で示すように６段の収納ボックス１１０に跨って上下方向に延在するスライダ本体Ｌ２０と、スライダ本体Ｌ２０の下端を折り曲げて形成した連結片Ｌ２１からなる。スライダＬ２は、断面コ字状に形成されたスライダ本体Ｌ２０のコ字状底部に穿孔した上下方向の長孔Ｌ２２を挿通する段付きねじＮ２により上下方向にスライド移動自在に配設されるとともに前方側（電子錠装置１０側）の脚片に当該電子錠装置１０に設けられた手動操作レバー８を受け入れる切欠きＬ２３が形成されている。なお、段付きねじＮ２は、後述する電子錠装置１０の取付金具１に固着されるものである。
【００１７】
前記電子錠装置１０について図３乃至図５を参照して説明する。図３は、図１の電子錠装置の全体構成を開閉扉に設けたロック金具とともに示す正面視左斜め上方から見た斜視図、図４は、図３の電子錠装置の一部構成部品（取付部材１）を取り外した状態を示す正面視右斜め上方から見た斜視図、図５は、図３の電子錠装置の主要部品を示し、正面視左右方向に分解した分解図である。
【００１８】
前記電子錠装置１０は、取付部材１、この取付部材１にねじにより固着された合成樹脂製のベース部材２、金属製の回動ストッパ３、第１ロックアーム４、第２ロックアーム５、スライド部材６、スイッチアーム７、手動操作レバー８、検知スイッチＳＷ（図４参照）、モータ駆動式施錠・開錠機構９からなる。
【００１９】
前記取付部材１は、一方（右方）が開口した薄い箱形の金属製になり、箱内（凹所）にモータ駆動式施錠・開錠機構９が組付けられるとともに底壁に金属性のストッパ軸３２（図５参照）が植設されている。このストッパ軸３２には回動ストッパ３が軸支される。また、前記ベース部材２は合成樹脂製になり、第１ロックアーム４、第２ロックアーム５、スライド部材６、スイッチアーム７、手動操作レバー８、検知スイッチＳＷ等を取付けるために所定の形状に形成されるとともに開閉扉１２０のロック金具１２１の受け入れ部２１が形成されている。前記モータ駆動式施錠・開錠機構９および回動ストッパ３が組付けられた取付金具に前記ベース部材２を組付けることにより電子錠装置１０としてモジュール化される。このモジュール化された電子錠装置１０は、取付部材１を収納ボックス１１０の正面視右側壁を構築する構成部材１１０Ａ（図２参照）にねじにより固着することにより収納ボックス１１０の内部に装着される。
【００２０】
前記回動ストッパ３は、開閉扉１２０におけるロック金具１２１に係合して開閉扉１２０を施錠およびロック金具１２１から離隔して開閉扉１２０を開錠するものであり、ロック金具１２１の係合孔１２２に係合する係合爪３１を有している。この回動ストッパ３は、取付部材１に植設したストッパ軸３２（図５参照）に回動自在に軸支され、ロック金具１２１に係合する係合位置（図３、図４参照）とロック金具１２１との係合を解除する解除位置（後述する図１０、図１１参照）との間を回動する。また、回動ストッパ３はストッパ軸３２に巻回された付勢ばね３３により解除位置に向けて付勢されている。なお、回動ストッパ３の解除位置はベース部材２に形成した当接部（不図示）により規制されている。
【００２１】
前記第１ロックアーム４および第２ロックアーム５は、回動ストッパ３とモータ駆動式施錠・開錠機構９のロックレバー９６との間を連繋し、モータ駆動式施錠・開錠機構９による施錠操作時におけるロックレバー９６の所定方向（図４では反時計回りの方向）への回動に連動して回動ストッパ３を解除位置から係合位置に向けて回動させるものである。第１ロックアーム４は、図５に示すように基部から延在する二つのアーム４３，４４を備え、その基部に設けた軸孔にベース部材２に設けたロックアーム軸４１（図５参照）を挿通することにより回動自在に軸支される。第１ロックアーム４は、一方のアーム４３がモータ駆動式施錠・開錠機構９による施錠操作時に回動するロックレバー９６に当接するように延在するとともに他方のアーム４４が上方に延在する態様で配設されている。第１ロックアーム４の基部には当該第１ロックアーム４を図３において反時計回りの方向に付勢する付勢ばね４２が巻回されており、この付勢ばね４２の付勢力により第１ロックアーム４は開錠状態では後述する図１１に示す待機位置に待機している。第２ロックアーム５は、基部に設けた軸孔にベース部材２に設けたロックアーム軸５１（図３、図５参照）を挿通することにより回動自在に軸支される。第２ロックアーム５は待機位置に位置する第１ロックアーム４の他方のアーム４４の前面側と回動ストッパ３の係合爪３１の背後との間に位置する態様で配設され、開錠状態においては自身の自重によって図３において時計回りの方向に回動して待機位置に位置する第１ロックアーム４の他方のアーム４４の前面に当接している。
【００２２】
前記スライド部材６は、係合位置に回動した回動ストッパ３に係合して当該回動ストッパ３を係合位置にロックするとともに前記モータ駆動式施錠・開錠機構９による開錠操作時における解除レバー９７の所定方向（図４では時計回りの方向）への回動により前記回動ストッパ３のロックを解除して回動ストッパ３の解除位置への回動を許容するものである。このスライド部材６は、ベース部材２に前後方向にスライド移動自在に保持され、係合位置に回動した回動ストッパ３に係合して当該回動ストッパ３を係合位置にロックするロック位置および前記モータ駆動式施錠・開錠機構９による開錠操作時における解除レバー９７の所定方向への回動により前記回動ストッパ３のロックを解除するロック解除位置の間をスライド移動するとともにベース部材２に係止された付勢ばね６１（図４、図５参照）によりロック位置に向けて付勢されている。
【００２３】
前記スイッチアーム７は、ベース部材２の受け入れ部２１に挿入される開閉扉１２０のロック金具１２１と検知スイッチＳＷとの間を連繋するものである。このスイッチアーム７は、図５に示すように、基部から下方に延在するアーム７１との後方に向けて延在するアーム７２を備え、その基部に設けた軸孔にベース部材２に設けたスイッチアーム軸７３（図４参照）を挿通することにより回動自在に軸支される。スイッチアーム７は、基部から下方に延在するアーム７１がベース部材２の受け入れ部２１に進入したロック金具１２１に当接して押圧される一方、後方に向けて延在するアーム７２が検知スイッチＳＷの接触子ＳＷ１に当接する態様で配設されている。
【００２４】
前記手動操作レバー８は、図１に示した収納ボックス１１０の底壁前面に配設したキーシリンダー錠ＣＫが操作された際にリンク機構Ｌを介して駆動されて係合位置に位置する回動ストッパ３を解除位置に回動させるものである。この手動操作レバー８は、図５に示すように、基部からそれぞれ反対方向に延在する一方のレバー片８１と他方のレバー片８２を備え、その基部に設けた軸孔にベース部材２に設けたレバー軸８３（図１２参照）を挿通することにより回動自在に軸支される。手動操作レバー８は、一方のレバー片８１が後方に延在してスライダＬ２の切欠きＬ２３に挿通される一方、他方のレバー片８２がスライド部材６に係合する態様で配設されている。手動操作レバー８は、他方のレバー片８２がスライド部材６に係合していることからスライド部材６の前後方向へのスライド移動に連動してレバー軸８３を支点として回動する。このため、手動操作レバー８の一方のレバー片８１は、スライド部材６がロック位置に位置する際に上昇する上昇位置と、スライド部材６がロック解除位置に位置する際に下降する下降位置との間を移動するが、スライダＬ２に設けた切欠きＬ２３の上下方向の大きさを手動操作レバー８の一方のレバー片８１の上昇位置および下降位置への移動を許容する寸法に定めていることから待機位置に位置するスライダＬ２によってスライド部材６のスライド移動が阻害されることはない。
【００２５】
前記検知スイッチＳＷは、いわゆる押しボタンスイッチであり、接触子ＳＷ１を備えている。この検知スイッチＳＷは、開閉扉１２０のロック金具１２１がベース部材２の受け入れ部２１に挿入されて所定位置にまで受け入れたことを検出するものであり、ロック金具１２１がベース部材２の受け入れ部２１の所定位置にまで受け入れた際にスイッチアーム７を介して接触子ＳＷ１が押圧されることによりオン状態となるように構成されている。この検知スイッチＳＷの状態変化信号に基づいて次に示すモータ駆動式施錠・開錠機構９のモータ９３（図６乃至図１０参照）が駆動（逆転駆動）される。また、検知スイッチＳＷの状態変化信号は、電子錠装置１０の施錠状態を示す信号として図１に示す制御部１０２に送信される。
【００２６】
前記モータ駆動式施錠・開錠機構９は、開閉扉１２０のロック金具１２１がベース部材２の受け入れ部２１の所定位置にまで受け入れたことが前記検知スイッチＳＷにより検出された際にモータ９３（図６参照）を駆動（逆転駆動）してロックレバー９６により回動ストッパ３を係合位置に向けて回動させて施錠する一方、制御部１０２からの開錠指令によりモータ９３を駆動（正転駆動）して回動ストッパ３の解除位置への回動を許容するものである。このモータ駆動式施錠・開錠機構９について、図６乃至図９を参照しつつ説明する。
【００２７】
図６および図７は、モータ駆動式施錠・開錠機構９の要部を示すもので、図６は図４に示す状態である正面視右方から見た分解斜視図であり、図７は正面視左方（図６の反対方向）から見た分解斜視図である。
【００２８】
前記モータ駆動式施錠・開錠機構９は、取付部材１の凹所に装着して取付けられるベース９１を備えている。このベース９１は樹脂成型品になり、右側方向に開口した箱状に形成されている。前記ベース９１は、開口部を閉塞する樹脂成型品になるカバー９２が組み付けられ、カバー９２との間に収容空間を形成する。そして、ベース９１とカバー９２とにより形成される収容空間に、モータ９３、ウオーム歯車９４１，中間歯車９４２および出力歯車９４３からなる歯車機構９４、キャリアスイッチ９５、ロックレバー９６および解除レバー９７が収納される。
【００２９】
前記モータ９３は、前記検知スイッチＳＷの状態変化信号に応じて正転し、開錠指令に応じて逆転する正逆回転可能な直流モータであり、ベース９１に設けたモータ保持部９１ａに保持された状態で配設されている。
【００３０】
前記歯車機構９４は、ウオーム歯車９４１，中間歯車９４２および出力歯車９４３を備えて構成されている。ウオーム歯車９４１は、ウオーム９４１ａとウオームホイール９４１ｂとを有している。ウオーム９４１ａは、モータ９３の出力軸９３ａに取り付けられている。ウオームホイール９４１ｂは、円板状の第１ウオームホイール９４１ｂ１と、円板状の第２ウオームホイール９４１ｂ２とを有している。第１ウオームホイール９４１ｂ１は中心部分に右方に向けて突出する軸状部が形成されるとともに周面に複数の歯から成るギア部が形成されている。第２ウオームホイール９４１ｂ２は、第１ウオームホイール９４１ｂ１の左側に位置しており、その中心軸が第１ウオームホイール９４１ｂ１の軸状部の中心軸と一致する軸状部が左側に向けて突出する態様で形成され、その周面に複数の歯から成るギア部が形成されている。このウオームホイール９４１ｂは、第１ウオームホイール９４１ｂ１のギア部がウオーム９４１ａに噛合した状態で軸状部をベース９１及びカバー９２の軸受部９１ｂ，９２ｂに挿入することにより回転可能に配設されている。
【００３１】
前記中間歯車９４２は、円板状の第１中間歯車９４２ａと、円板状の第２中間歯車９４２ｂとを有している。第１中間歯車９４２ａは中心部分に左方に向けて突出する軸状部が形成されるとともに周面に複数の歯から成るギア部が形成されている。第２中間歯車９４２ｂは、第１中間歯車９４２ａの右側に位置しており、その中心軸が第１中間歯車９４２ａの軸状部の中心軸と一致する軸状部が右方に向けて突出する態様で形成され、その周面に複数の歯から成るギア部が形成されている。この中間歯車９４２は、第１中間歯車９４２ａのギア部が第２ウオームホイール９４１ｂ２のギア部に噛合した状態で軸状部をベース９１及びカバー９２の軸受部９１ｃ、９２ｃに挿入することにより回転可能に配設される。
【００３２】
前記出力歯車９４３は、円板状を成すとともにその周面に複数の歯から成るギア部が形成されている。この出力歯車９４３の中心部分には左方に向けて突出する軸状部が形成されるとともに板面（左側）にカム突起９４３ａが形成され、かつ板面（右側）に押圧片９４３ｂが形成されている。前記カム突起９４３ａは、出力歯車９４３の板面から左方に突出する態様で円弧状に形成されている。このカム突起９４３ａは、その円弧状の長さがスライド部材６をロック解除位置に向けてスライド移動させた後にその状態を保持するのに十分な長さとなるように形成されている。前記押圧片９４３ｂは、カム突起９４３ａと反対側の板面において右方に向けて突出する態様で略Ｖ字状に形成されている。この出力歯車９４３は、ギア部が第２中間歯車９４２ｂのギア部に噛合した状態で軸状部をベース９１及びカバー９２の軸受部９１ｄ，９２ｄに挿入することにより回転可能に配設される。
【００３３】
前記キャリアスイッチ９５は、いわゆる押しボタンスイッチであり、接触子９５ａを備えている。このキャリアスイッチ９５は、出力歯車９４３が配設される領域よりも僅かに上方に保持された状態でベース９１に配設されている。このキャリアスイッチ９５は、接触子９５ａが押圧されるとオン状態となる一方、接触子９５ａが押圧されない場合にはオフ状態となるものであり、モータ９３の駆動により出力歯車９４３が一回転したか否かを監視するためのものである。
【００３４】
前記ロックレバー９６は樹脂成型品になり、基端部９６ａに貫通孔９６ａ１が形成されている。このロックレバー９６は、先端部９６ｂが基端部９７ａから前方側斜め下方に延在した後に前方側斜め上方に湾曲したフック状を成している。前記ロックレバー９６の基端部９６ａに設けられた係止部９６ｃ（図７参照）は、基端部９６ａの後方側より後方に向けて延在する弾性変形可能な板状の弾性部材である。このロックレバー９６は、基端部９６ａの貫通孔９６ａ１をカバー９２に設けたレバー軸９２ｅに挿通させることにより、出力歯車９４３の左板面側に位置して回転可能に配設される。そして、ロックレバー９６の先端部９６ｂは、ベース９１およびカバー９２のフランジを切り欠いて形成された前方下側開口（図示せず）を貫通してベース９１およびカバー９２の外部に突出している。また、ロックレバー９６は、ベース９１およびカバー９２により形成される前方下側開口（図示せず）の前方側縁部に沿って前方に延在するようにカバー９２に形成された突出片９８１に係止部９６ｃの自由端が当接することにより常態における待機姿勢が決められている。
【００３５】
前記解除レバー９７は樹脂成型品になり、基端部９７ａに貫通孔９７ａ１が形成されている。この解除レバー９７は、先端部９７ｂが基端部９７ａから後方左斜め下方に延在した後に後方斜め上方に湾曲したフック状を成している。前記解除レバー９７の基端部９６ａに設けられた係止部９７ｃは、基端部９６ａの前方側より後方に向けて延在する弾性変形可能な板状の弾性部材である。この解除レバー９７は、基端部９７ａの貫通孔９７ａ１をカバー９２に設けたレバー軸９２ｆに挿通させることにより、出力歯車９４３の左板面側に位置して回転可能に配設される。そして、解除レバー９７の先端部９７ｂは、ベース９１およびカバー９２に形成された前方上側開口（図示せず）を貫通してベース９１およびカバー９２の外部に突出している。また、解除レバー９７は、ベース９１およびカバー９２のフランジを切り欠いて形成された前方上側開口の縁部に沿って前方に延在するようにカバー９２に形成された突出片９８２に係止部９７ｃの自由端が当接することにより常態における姿勢が決められている。
【００３６】
図８は前記モータ駆動式施錠・開錠機構９の待機状態を示し、図の（ａ）はその正面視右方から見た平面図、（ｂ）はその正面視左方から見た平面図である。図に示すように、待機状態で出力歯車９４３のカム突起９４３ａ及び押圧片９４３ｂが最も後方に位置しており、押圧片９４３ｂがキャリアスイッチ９５の接触子９５ａを押圧している。この場合、キャリアスイッチ９５はオン状態となる。また、出力歯車９４３のカム突起９４３ａが最も後方に位置しており、このような待機状態では、モータ駆動式施錠・開錠機構９のロックレバー９６および解除レバー９７は図示の常態の待機姿勢にある。
【００３７】
さて、図１０の（ａ）に示すように、電子錠装置１０は、施錠状態おいてスライド部材６が前方のロック位置に位置して係合位置の回動ストッパ３に係合して当該回動ストッパ３をロックした状態にある。この場合、モータ駆動式施錠・開錠機構９は、図８に示した待機状態にあり、ロックレバー９６および解除レバー９７が第１ロックアーム４およびスライド部材６から離隔した常態に位置している。
【００３８】
かかるロック状態から、図１に示すロッカー１００の利用者によりタッチパネル１０１を介して暗証番号が入力されると制御部１０２により認証処理が行われ、この認証処理により認証が確認（承認）された場合にタッチパネル１０２に該当する収納ボックス１１０（の番号）を表示するとともに当該収納ボックス１１０の電子錠装置１０に開錠指令を与える。この開錠指令が与えられた電子錠装置１０の動作を、モータ駆動式施錠・開錠機構９の状態を示す図８および図９および電子錠装置１０の状態を示す図１０を参照しつつ説明すると、当該開錠指令に基づいてモータ駆動式施錠・開錠機構９のモータ９３（図８、図９参照）が正転駆動される。モータ９３が正転駆動されると、ウオーム歯車９４１及び中間歯車９４２を介してモータ９３の駆動力を伝達された出力歯車９４３は、正面視右方から見て反時計回りの方向（図８、図９の矢印方向）に回転する。出力歯車９４３が回転すると、出力歯車９４３の押圧片９４３ｂがキャリアスイッチ９５の接触子９５ａから離脱する（図９の（ａ）参照）。これにより、キャリアスイッチ９５の接触子９５ａは押圧された状態から開放されてオフ状態となる。更なる出力歯車９４３の回転によりカム突起９４３ａが、解除レバー９７の基端部９７ａに後方より当接すると、解除レバー９７は、正面視右方から見て時計回りの方向に回転する。解除レバー９７が時計回りの方向に回転すると、先端部９７ｂが後方に向けて回動してスライド部材６に当接して当該スライド部材６を付勢ばね６１の付勢力に抗して後方のロック解除位置に向けて所定距離だけスライド移動させる（図１０の（ｂ）参照）。この場合、解除レバー９７の基端部９７ａは、カム突起９４３ａの円弧面に乗り上げて摺接している（図９の（ｂ）参照）。このように、解除レバー９７の基端部９７ａがカム突起９４３ａの円弧面に乗り上げて摺接している状態でモータ９３は一旦正転駆動が停止される。このモータ９３の正転駆動に一旦停止は後述する検知スイッチＳＷの信号に基づいて実行される。このように、解除レバー９７の基端部９７ａがカム突起９４３ａの円弧面に乗り上げて摺接している状態でモータ９３が一旦停止することから、解除レバー９７の先端部９７ｂはスライド部材６をロック解除位置に位置させた状態に保持する。スライド部材６の後方へのスライド移動によりロックが解除された回動ストッパ３は付勢ばね３３の付勢力によりストッパ軸３２を中心に反時計方向に解除位置まで回動する（図１０の（ｂ）参照）。回動ストッパ３の反時計方向への回動により開閉扉１２０におけるロック金具１２１の係合孔１２２に係合していた係合爪３１が係合孔１２２から離脱すると開錠されて開閉扉１２０の開放が可能となる。
【００３９】
そして、図１０の（ｂ）に示すように、開閉扉１２０が開放されてロック金具１２１が電子錠装置１０におけるベース部材２の受け入れ部２１から離隔すると、ロック金具１２１により押圧されていたスイッチアーム７の押圧が解除されてスイッチアーム７の回動が許容されるので、検知スイッチＳＷの接触子ＳＷ１が押圧された状態から開放されて検知スイッチＳＷはオフ状態となる。この検知スイッチＳＷの状態変化信号（オンからオフ）に基づいて前記モータ９３の正転駆動が一旦停止されるものである。また、前記検知スイッチＳＷの状態変化信号（オンからオフ）は、図１の制御部１０２に送信され、この検知スイッチＳＷの状態変化信号に基づいて制御部１０２は、当該電子錠装置１０の施錠・開錠状態を記憶する記憶部の記憶内容を「施錠」から「開錠」に更新する。
【００４０】
前述したように、モータ９３の正転駆動が停止された際、解除バー９７の基端部９７ａが出力歯車９４３におけるカム突起９４３ａの円弧面に乗り上げて摺接している状態に保持されることから、解除レバー９７の先端部９７ｂはスライド部材６をロック解除位置に位置させた状態を維持する。このように、スライド部材６がロック解除位置に位置した状態では、解除位置に位置する回動ストッパ３をロック位置に回動させた場合にもスライド部材６によって回動ストッパ３はロックされることがない。したがって、悪戯によって開錠状態（開閉扉１２０の開放状態）で回動ストッパ３を開錠位置から係合位置に回動させられた場合にも施錠されるという誤動作を防止できる。なお、検知スイッチＳＷの状態変化信号（オンからオフ）に基づいて前記モータ９３の正転駆動を一旦停止する場合について説明したが、開錠指令により限時を開始した後、解除レバー９７の基端部９７ａがカム突起９４３ａの円弧面に乗り上げて摺接するまでの時間によりタイムアップするタイマによってモータ９３の正転駆動を停止させるようにすることもできるものである。
【００４１】
次に、電子錠装置１０の施錠動作について図１１を参照しながら説明する。なお、モータ駆動式施錠・開錠機構９は、図９に示す状態と逆の動作となるので、図示は省略するが、モータ駆動式施錠・開錠機構９の構成は適宜図９を参照する。さて、電子錠装置１０の施錠は開閉扉１２０を閉じることにより行われる。すなわち、開閉扉１２０が閉じられると開閉扉１２０のロック金具１２１が電子錠装置１０におけるベース部材２の受け入れ部２１に進入する。そして、このロック金具１２１が受け入れ部２１の所定位置にまで受け入れられるとスイッチアーム７の前方側のアーム７１が押圧されてスイッチアーム７の後方側のアーム７２が検知スイッチＳＷの接触子ＳＷ１を押圧するように回動する。これにより、検知スイッチＳＷの接触子ＳＷ１が押圧されて検知スイッチＳＷはオン状態となる。この検知スイッチＳＷの状態変化信号（オフからオン）によってモータ９３（図９参照）が再度正転駆動される。このモータ９３の正転駆動によって出力歯車９４３のカム突起９４３ａが待機状態の位置に戻ると、押圧片９４３ｂがキャリアスイッチ９５の接触子９５ａを押圧してキャリアスイッチ９５はオン状態となる。このキャリアスイッチ９５の状態変化信号（オフからオン）によってモータ９３の正転駆動を停止したうえでモータ９３を逆転駆動する。なお、検知スイッチＳＷの状態変化信号（オフからオン）は、図１の制御部１０２に送信され、この検知スイッチＳＷの状態変化信号に基づいて制御部１０２は、当該電子錠装置１０の施錠・開錠状態を記憶する記憶部の記憶内容を「開錠」から「施錠」に更新する。
【００４２】
ここで、モータ９３が検知スイッチＳＷの状態変化信号（オフからオン）に基づいて再度正転駆動された場合、出力歯車９４３の回転によってカム突起９４３ａが解除レバー９７の基端部９７ａから外れると解除レバー９７が常態に復帰するので、解除レバー９７の先端部９７ｂによりロック解除位置に保持されていたスライド部材６が付勢ばね６１の付勢力によってロック位置に向けてスライド移動可能となる。このスライド部材６のロック位置方向へのスライド移動により開錠位置に位置している回動ストッパ３の後端に当接した状態となって回動ストッパ３が係合位置に回動するのを待つ。また、モータ９３が検知スイッチＳＷの状態変化信号（オフからオン）に基づいて再度正転駆動された場合、出力歯車９４３の回転によってカム突起９４３ａがロックレバー９６の基端部９６ａに当接することとなる。この場合、ロックレバー９６は、弾性変形可能な係止部９６ｃがベース９１およびカバー９２に形成された下側開口の前方側縁部に沿って前方に延在するようにカバー９２に形成された突出片９８２に当接して常態の待機姿勢に位置している。したがって、カム突起９４３ａがロックレバー９６の基端部９６ａに当接すると係止部９６ｃが弾性変形してロックレバー９６が回動（図１０の（ｂ）において時計回りの方向）する。つまり、出力歯車９４３の回転によるカム突起９４３ａの移動を妨げないようにロックレバー９６が逃げるように回動し、これによりモータ９３（出力歯車９４３）が待機状態に復帰することができるものである。なお、モータ９３が正転駆動されて押圧片９４３ｂがキャリアスイッチ９５の接触子９５ａを押圧する直前にカム突起９４３ａがロックレバー９６の基端部９６ａから外れてロックレバー９６は係止部９６ｃにより元の常態の待機姿勢に復帰する。
【００４３】
前述のように、モータ９３が逆転駆動されると、ウオーム歯車９４１及び中間歯車９４２を介してモータ９３の駆動力を伝達された出力歯車９４３は、図１１とは反対方向に回転する。出力歯車９４３が回転すると、出力歯車９４３の押圧片９４３ｂがキャリアスイッチ９５の接触子９５ａから離脱する。これにより、キャリアスイッチ９５の接触子９５ａは押圧された状態から開放されてオフ状態となる。更なる出力歯車９４３の回転によりカム突起９４３ａが、ロックレバー９６の基端部９６ａに後方より当接すると、ロックレバー９６は、図１１では時計回りの方向（図９では時計回りの方向）に回転する。このロックレバー９６の時計回りの方向への回転によって先端部９６ｂが後方に向けて回動して第１ロックアーム４の、一方のアーム４３に当接し、当該第１ロックアーム４を付勢ばね４２の付勢力に抗して時計回りの方向に回動させる。この第１ロックアーム４の回動に伴って第２ロックアーム５が反時計回りの方向に回動して開錠位置に位置する回動ストッパ３を係合位置に向けて回動させ、回動ストッパ３の係合爪３１をロック金具１２１の係合孔１２２に係合させる（図１１の（ｂ）参照）。この場合、ロックレバー９６の基端部９６ａは、カム突起９４３ａの円弧面に乗り上げて摺接している。そして、回動ストッパ３の係合爪３１がロック金具１２１の係合孔１２２に係合するように回動した際、回動ストッパ３の後端に当接するように付勢ばね６１によりロック位置に向けて付勢されていたスライド部材６がロック位置に向けてスライド移動して回動ストッパ３を係合位置にロックする。
【００４４】
ここで、ストッパ軸３２を支点として回動する回動ストッパ３の係合爪３１の先端部と係合爪３１の基端部（ロック金具１２１の係合孔１２２の縁部に係合する部位）の回動軌跡とは異なり、支点（ストッパ軸３２）から係合爪３１の基端部の回動軌跡の距離に対して先端部の回動軌跡の距離が長くなる（例えば、所定の間隔Ｌ１）。このため、開閉扉１２０が半ドア状態（収納ボックス１１０の開口部を完全に閉塞した閉止位置からＬ１だけ開いた状態）となった場合にも、回動ストッパ３の係合爪３１の先端部がロック金具１２１の係合孔１２２に挿通され、回動ストッパ３の係合位置への回動に伴って係合爪３１とロック金具１２１の係合孔１２２との係合が係合爪３１の先端部から基端部に向かうにしたがって係合爪３１が係合孔１２２の縁部に摺接してロック金具１２１を電子錠装置１０内に引き込む。つまり、開閉扉１２０を収納ボックス１１０の開口部を完全に閉塞する閉止位置に引き込んで半ドア状態を解消することができるものである。
【００４５】
また、前記モータ９３の逆転駆動に伴う出力歯車９４３の反時計回り方向への回転が進行してカム突起９４３ａがロックレバー９６の基端部９６ａから外れるとロックレバー９６が常態に復帰するが、回動ストッパ３はスライド部材６により係合位置にロックされているので、電子錠装置１０は施錠状態を維持する。更なる出力歯車９４３の反時計回りに方向への回転によってカム突起９４３ａが解除レバー９７の基端部９７ａに当接することとなる。この場合、解除レバー９７は、弾性変形可能な係止部９７ｃがベース９１およびカバー９２に形成された下側開口の前方側縁部に沿って前方に延在するようにカバー９２に形成された突出片９８１に当接して待機している。したがって、カム突起９４３ａが解除レバー９７の基端部９７ａに当接すると係止部９７ｃが弾性変形して解除レバー９７が回動する。つまり、出力歯車９４３の回転によるカム突起９４３ａの移動を妨げないように解除レバー９７が逃げるように回動し、これによりモータ９３（出力歯車９４３）が待機状態に復帰することができるものである。なお、モータ９３が逆転駆動されて押圧片９４３ｂがキャリアスイッチ９５の接触子９５ａを押圧する直前にカム突起９４３ａが解除レバー９７の基端部９７ａから外れて解除レバー９７は係止部９７ｃにより元の常態の待機姿勢に復帰する。
【００４６】
次に、電子錠装置１０の手動開錠動作について図２および図１２を用いて説明する。図１２は電子錠装置１０の手動開錠動作を示し、（ａ）は正面視右方から見た施錠状態を示す斜視図、（ｂ）は正面視右方から見た開錠途中の状態を示す斜視図である。なお、図２に示すように、キーシリンダー錠ＣＫと電子錠装置１０の手動操作レバー８連繋するリンク機構Ｌは、待機状態において、キーシリンダー錠ＣＫのロータの背後に結合された回転レバーＬ１の他端（後端）に軸支されたローラＲ１が上限に位置し、このローラＲ１に連結片Ｌ２１が当接したスライダ本体Ｌ２０（スライダＬ２）は上昇した待機位置している。この場合、スライダ本体Ｌ２０設けた上下方向の長孔Ｌ２２の下端に段付きねじＮ２が位置しており、また、電子錠装置１０に設けられた手動操作レバー８（の一方のレバー片８１）を受け入れる切欠きＬ２３と前記レバー片８１とは手動操作レバー８が待機常態で一方のレバー片８１が上昇位置に位置する際、当該レバー片８１が切欠きＬ２３の上縁の近傍に位置しているものである。
【００４７】
さて、電子錠装置１０を手動操作する場合、図２に示したキーシリンダー錠ＣＫにキーを差し込んで反時計回りの方向（図１では時計回りの方向）に回転させる。キーの反時計回り方向への回転操作によりキーシリンダー錠ＣＫのロータが回転してその背後に結合された回転レバーＬ１が反時計方向に回転し、これにより回転レバーＬ１の後端に軸支したローラＲ１が反時計回りの方向に回転して上限位置から下限位置に向けて下降する。ローラＲ１の反時計回りの方向への回転に伴ってスライダＬ２が待機位置から下降する。前記スライダＬ２の下降によって手動操作レバー８の一方のレバー片８１が切欠きＬ２３の上縁に押圧される。これにより手動操作レバー８は、図１２においてレバー軸８３を支点として時計回りの方向に回転する。この手動操作レバー８の時計回りの方向への回転によってスライド部材６が付勢ばね６１の付勢力に抗してロック位置から後方のロック解除位置へ向けてスライド移動する。前記スライド部材６の後方へのスライド移動により係合位置にロックされていた回動ストッパ３のロックが解除される。ロックが解除された回動ストッパ３は付勢ばね３３の付勢力によりストッパ軸３２を中心に反時計回りの方向に解除位置まで回動する（図１２の（ｂ）参照）。回動ストッパ３の反時計回りの方向への回動により開閉扉１２０におけるロック金具１２１の係合孔１２２に係合していた係合爪３１が係合孔１２２から離脱すると開錠されて開閉扉１２０の開放が可能となる。
【００４８】
ここで、手動操作レバー８はその一端がスライド部材６に結合されており、電子錠装置１０の施錠・開錠動作に伴うスライド部材６のスライド移動に連動して回動する。すなわち、スライド部材６がロック位置に位置する際には手動操作レバー８の一方のレバー片８１は上昇した上昇位置に位置し（図１２の（ａ）の状態）、スライド部材６が後方のロック解除位置に位置する際には下降した下降位置に位置する（図１２の（ｂ）の状態）。このため、スライダ本体Ｌ２０に設けた切欠きＬ２３の上下方向の大きさを手動操作レバー８の一方のレバー片８１の上昇位置および下降位置への移動を許容する寸法に定め、スライダＬ２の待機状態で、手動操作レバー８の一方のレバー片８１が上昇した上昇位置で当該一方のレバー片８１が切欠きＬ２３の上縁近傍に位置するように定めていることから待機位置に位置するスライダＬ２（スライダ本体Ｌ２０）によってスライド部材６のスライド移動が阻害されることはない。
【００４９】
前述したように、この実施の形態に係る電子錠装置１０においては、収納ボックス１１０の前面に開閉自在に設けられた開閉扉１２０を電気式に施錠および開錠する電子錠装置であって、開閉扉１２０に設けられたロック金具１２１と、収納ボックス１１０に配設されて前記ロック金具１２１を受け入れる電子錠装置１０とを備え、前記電子錠装置１０は、電子錠装置１０に受け入れられたロック金具１２１と係合する係合位置とロック金具との係合を解除する解除位置との間を回動自在で、かつ、解除位置方向に付勢された回動ストッパ３と、前記ロック金具が所定の受け入れ位置に進入したことを検出する検知スイッチと、前記検知スイッチＳＷによりロック金具１２１の進入が検出された際にモータ９３を一方向に回転して回動ストッパ３を係合位置に向けて回動させて施錠する一方、開錠指令によりモータ９３を他方向に回転して回動ストッパ３の解除位置への回動を許容するモータ駆動式施錠・開錠機構９と、前記回動ストッパ３が係合位置へ回動した状態で当該回動ストッパ３に係合してロックするロック位置と当該回動ストッパ３のロックを解除するロック解除位置との間をスライド移動自在であって、前記ロック位置に向けて付勢されるとともに前記モータ駆動式施錠・開錠機構９によりロック解除位置に向けて駆動されるスライド部材６とからなり、前記検知スイッチＳＷによりロック金具１２１が検出された際にモータ駆動式施錠・開錠機構９により回動ストッパ３を係合位置に向けて回動させてロック金具１２１に係合させるとともにスライド部材６により回動ストッパ３を係合位置にロック（施錠）する一方、開錠指令が与えられた際にモータ駆動式施錠・開錠機構９によりスライド部材６をロック解除位置に向けてスライドさせて回動ストッパ３の解除位置への回動を許容（開錠）することにより、電子錠装置１０にロック金具１２１が受け入れられたことを検出する検知スイッチＳＷの検出信号に基づいてモータ駆動式施錠・開錠機構９により回動ストッパ３をロック金具１２１と係合する係合位置に向けて回動させて施錠を行うことにより電子錠装置１０により確実に開閉扉１２０を施錠することが可能となるという効果を奏する。
【符号の説明】
【００５０】
１…取付部材、２…ベース部材、３…回動ストッパ、６…スライド部材、７…スイッチアーム、８…手動操作レバー、９…モータ駆動式施錠・開錠機構、１０…電子錠、２１…受け入れ部、３１…係合爪、９３…モータ、９４…歯車機構、９５…キャリアスイッチ、９６…ロックレバー、９７…解除レバー、１１０…収納ボックス、１２０…開閉扉、１２１…ロック金具、ＳＷ…検知スイッチ、ＣＫ…キーシリンダー錠、Ｌ…リンク機構、Ｌ２…スライダ。
【図１】
2016113828.tif 000003
【図２】
2016113828.tif 000004
【図３】
2016113828.tif 000005
【図４】
2016113828.tif 000006
【図５】
2016113828.tif 000007
【図６】
2016113828.tif 000008
【図７】
2016113828.tif 000009
【図８】
2016113828.tif 000010
【図９】
2016113828.tif 000011
【図１０】
2016113828.tif 000012
【図１１】
2016113828.tif 000013
【図１２】
2016113828.tif 000014